(57)【特許請求の範囲】
【請求項１】
容器体口頸部外面へ嵌合させる装着筒２から起立する主柱筒12の中間部からシリンダ13を、かつ主柱筒上端から射出筒14を、それぞれ前方突出する噴出器の本体11を設けて、該本体の上面および左右両側面を覆うカバー19を上記本体に付設し、
又上記射出筒14前部ないし該前部近辺に枢支23されて垂下するトリガー21の上部に上記シリンダ13内から前方突出するプランジヤ26前部を係止し、該トリガーの揺動操作で容器体内液体を射出筒14前端に嵌着させたノズル筒18から噴出可能に設けたトリガー式液体噴出器において、
上記トリガー21上端部からカバー19の左右両側壁内面に沿って左右一対の係合板31,31 を下後方へ突設し、
又射出筒14後部が位置するカバー内部分に固着させた基台部36の左右両側から、射出筒14とカバー内壁面との間を通って左右一対をなす板バネ42,42 を前方突出するバネ部材35を設けて、上記板バネ先端を上記両係合板31,31 の後部上面へ圧接させ、
それ等板バネ42,42 の弾性によりトリガー21と該トリガーに枢止50したプランジヤ26とを前方付勢させ、
上記基台部36を、前方からみて底板37の左右両側から腕板38,38 を起立し、かつこれ等両腕板の各外側面へ係合台39,39 を付設した形状となし、これ等係合台39,39 を、射出筒14側方のカバー左右両内壁面部分へ、上下平行に、一対をなして横設したレール46,46 間に挟持させることで、射出筒14後部の側方に固着させ、全構成部材を合成樹脂で形成した  ことを特徴とするトリガー式液体噴出器。
【請求項２】
容器体口頸部外面へ嵌合させる装着筒２から起立する主柱筒12の中間部からシリンダ13を、かつ主柱筒上端から射出筒14を、それぞれ前方突出する噴出器の本体11を設けて、該本体の上面および左右両側面を覆うカバー19を上記本体に付設し、
又上記射出筒14前部ないし該前部近辺に枢支23されて垂下するトリガー21の上部に上記シリンダ13内から前方突出するプランジヤ26前部を係止し、該トリガーの揺動操作で容器体内液体を射出筒14前端に嵌着させたノズル筒18から噴出可能に設けたトリガー式液体噴出器において、
上記トリガー21上端部からカバー19の左右両側壁内面に沿って左右一対の係合板31,31 を下後方へ突設し、
又射出筒14後部が位置するカバー内部分に固着させた基台部36の左右両側から、射出筒14とカバー内壁面との間を通って左右一対をなす板バネ42,42 を前方突出するバネ部材35を設けて、上記板バネ先端を上記両係合板31,31 の後部上面へ圧接させ、
それ等板バネ42,42 の弾性によりトリガー21と該トリガーに枢止50したプランジヤ26とを前方付勢させ、
上記基台部36を、前方からみて底板37の左右両側から腕板38,38 を起立し、かつこれ等両腕板の各内面に係合台39,39 を付設した形状となし、これ等係合台を、射出筒14の上下両面へ平行に付設した案内板47,47 の左右両端部間に挟持させて、射出筒14後部の側方において固着させて全構成部材を合成樹脂で形成した
ことを特徴とする、トリガー式液体噴出器。
【発明の詳細な説明】
【０００１】
【発明の属する技術分野】
本発明は、トリガー式の液体噴出器に関する。
【０００２】
【従来の技術】
トリガー式の液体噴出器は、従来広く使用されている。該噴出器は、容器体口頸部外面へ嵌合させる装着筒から主柱筒を起立すると共に、該主柱筒の中間部からシリンダを、かつ主柱筒上端から射出筒を、それぞれ前方突出する噴出器本体を設けて、該本体に、上面および左右両側面を覆うカバーを取付け、又上記射出筒前部の左右両側部に枢支されて垂下するトリガーの上部に、上記シリンダ内から付勢されて前方突出するプランジヤ前部を係合し、該トリガーの揺動操作でシリンダ内液体を射出筒前端に嵌着させたノズル筒から噴出し、又容器体内液体をシリンダ内へ吸込み可能に設けている。
【０００３】
【発明が解決しようとする課題】
従来は、上記プランジヤの前方付勢をシリンダ内へ装着させた金属製のコイルスプリングで行っている。近時重視されている資源再利用のためには、金属と合成樹脂とを分別して廃棄することが必要となるが、このように分別することは一般消費者にとって可成りの手数を要することとなる。該手数を除くためには、上記金属製のコイルスプリングを合成樹脂製とすればよいが、合成樹脂製のコイルスプリングは、成型が面倒となるうえ、充分な弾性を得ることが困難である。
【０００４】
本発明は上記金属製のコイルスプリングに代る合成樹脂製のバネ部材を設けて、トリガー式液体噴出器の全部材を合成樹脂製とし、もって既述分別を行うことなくそのまま廃棄しても資源の再利用が可能であり、又上記バネ部材は噴出器本体を覆合するカバー内へ設けることで上記噴出器の外見が損われないよう、更に上記バネ部材によってもトリガーの復帰、つまりトリガーと共にプランジヤをシリンダ内から前方へ引き戻して該引き戻しによるシリンダ内負圧化により容器体内液体をシリンダ内へ吸込むことが可能に設けたものである。
【０００５】
【課題を解決するための手段】
第１の手段として、容器体口頸部外面へ嵌合させる装着筒２から起立する主柱筒12の中間部からシリンダ13を、かつ主柱筒上端から射出筒14を、それぞれ前方突出する噴出器の本体11を設けて、該本体の上面および左右両側面を覆うカバー19を上記本体に付設し、
又上記射出筒14前部ないし該前部近辺に枢支23されて垂下するトリガー21の上部に上記シリンダ13内から前方突出するプランジヤ26前部を係止し、該トリガーの揺動操作で容器体内液体を射出筒14前端に嵌着させたノズル筒18から噴出可能に設けたトリガー式液体噴出器において、
上記トリガー21上端部からカバー19の左右両側壁内面に沿って左右一対の係合板31,31 を下後方へ突設し、
又射出筒14後部が位置するカバー内部分に固着させた基台部36の左右両側から、射出筒14とカバー内壁面との間を通って左右一対をなす板バネ42,42 を前方突出するバネ部材35を設けて、上記板バネ先端を上記両係合板31,31 の後部上面へ圧接させ、
それ等板バネ42,42 の弾性によりトリガー21と該トリガーに枢止50したプランジヤ26とを前方付勢させ、
上記基台部36を、前方からみて底板37の左右両側から腕板38,38 を起立し、かつこれ等両腕板の各外側面へ係合台39,39 を付設した形状となし、これ等係合台39,39 を、射出筒14側方のカバー左右両内壁面部分へ、上下平行に、一対をなして横設したレール46,46 間に挟持させることで、射出筒14後部の側方に固着させ、全構成部材を合成樹脂で形成した。
【００１０】
第２の手段として、容器体口頸部外面へ嵌合させる装着筒２から起立する主柱筒12の中間部からシリンダ13を、かつ主柱筒上端から射出筒14を、それぞれ前方突出する噴出器の本体11を設けて、該本体の上面および左右両側面を覆うカバー19を上記本体に付設し、
又上記射出筒14前部ないし該前部近辺に枢支23されて垂下するトリガー21の上部に上記シリンダ13内から前方突出するプランジヤ26前部を係止し、該トリガーの揺動操作で容器体内液体を射出筒14前端に嵌着させたノズル筒18から噴出可能に設けたトリガー式液体噴出器において、
上記トリガー21上端部からカバー19の左右両側壁内面に沿って左右一対の係合板31,31 を下後方へ突設し、
又射出筒14後部が位置するカバー内部分に固着させた基台部36の左右両側から、射出筒14とカバー内壁面との間を通って左右一対をなす板バネ42,42 を前方突出するバネ部材35を設けて、上記板バネ先端を上記両係合板31,31 の後部上面へ圧接させ、
それ等板バネ42,42 の弾性によりトリガー21と該トリガーに枢止50したプランジヤ26とを前方付勢させ、
上記基台部36を、前方からみて底板37の左右両側から腕板38,38 を起立し、かつこれ等両腕板の各内面に係合台39,39 を付設した形状となし、これ等係合台を、射出筒14の上下両面へ平行に付設した案内板47,47 の左右両端部間に挟持させて、射出筒14後部の側方において固着させ、全構成部材を合成樹脂で形成した。
【００１３】
【発明の実施の形態】
まずトリガー式液体噴出器の基本構造について簡単に説明すると、１は容器体で、該容器体の口頸部には装着筒２を螺合させている。該装着筒上面は、栓状蓋３で、該蓋下部に付設した外向きフランジ４を上記装着筒上端に付設した内向きフランジ５下面へ係合させて閉塞しており、該栓状蓋の頂壁後部に連結筒６を貫設している。
【００１４】
１１は、トリガー式液体噴出器の本体で、上記連結筒６外面へ嵌着させた主柱筒１２の中間部からシリンダ１３を、かつ上端から射出筒１４を、それぞれ前方突出し、又本体下端から、上記主柱筒１２下部を後部内に位置させて嵌合短筒１５を垂下し、該筒を上記栓状蓋３上部へ嵌着させている。又射出筒１４前端には連結筒１６を介して蓋板１７付きのノズル筒１８を嵌合させている。
【００１５】
上記噴出器本体１１には、該本体の上面および左右両側面を覆うカバー１９を付設している。該カバーは上記本体と一体成形してもよく、又別部材で形成し、これ等を本体へ嵌着させてもよい。
【００１６】
既述射出筒１４の前部ないし前部近辺からトリガー２１を垂下する。該トリガーは上記を二又状部２２，  ２２とし、これ等二又状部を図示例では連結筒１６の左右両側とカバーの左右両側壁との間へ差込み、該差込み部分上部を連結筒を介して射出筒１４前部ないし該前部近辺のカバー部分に枢支２３する。その二又状部分下方のトリガー部分は、後面を開口する横断面コ字形状としている。
【００１７】
上記トリガー２１の上部へは、既述シリンダ内から前方突出したプランジヤ２６前端部を係止させる。該プランジヤは従来金属製のコイルスプリングにより前方へ付勢させていたものである。
【００１８】
本発明においては、トリガー２１の上端部に形成した二又状部２２，  ２２から、カバー１９の左右両側壁内面に沿って左右一対の係合板３１，  ３１を下後方へ突設した。
【００１９】
又射出筒１４後部から上記係合板３１，  ３１との間にバネ部材３５を装着させ、該バネ部材が有する板バネ先端を上記両係合板３１，  ３１の後部上面へ圧接させた。
【００２０】
バネ部材３５は、基台部から板バネを前方突出するもので、基台部３６は、前方からみて、図５が示すように、底板３７の左右両側から腕板３８，  ３８を起立し、かつこれ等両腕板の各外側面の上下方向中間部に係合台３９，  ３９を、又その下方に挟持台４０，  ４０を、それぞれ付設し、かつ両腕板３８，  ３８の前面上部から吊下げ板４１，  ４１を前方突出する。板バネ４２，  ４２は、左右両側方からみてＵ字形状で、かつ該Ｕ字の前方側の起立板部分上端から前下方へ係合板部４２ａ，  ４２ａを突出する形状とし、そのＵ字の後方側起立板４２ｂ，  ４２ｂの上端を、上記基台部３６の吊下げ板４１，  ４１前端へ一体に連続してバネ部材３５とする。
【００２１】
カバー付きの本体１１に対するバネ部材３５の装着は、予め射出筒１４側方のカバー左右両内壁面部分に、上下平行に一対をなすレール４６，  ４６を横設しておき、トリガー２１およびノズル筒１８付き連結筒６の装着に先立ち、図５が示すように上記レール間へ既述係合台３９，  ３９を嵌合させて、又その下方レールをその係合台と既述挟持台４０，  ４０とで挟持させて基台部３６を射出筒１４の後端部まで強制的に押込み固定させればよい。但し上記係合台３９，  ３９だけで固定できれば挟持台４０，  ４０は省略することが出来る。
【００２２】
バネ部材３５は、図６が示すように形成することも出来る。この場合は腕板３８，  ３８の中間部内面に係合台３９，  ３９を付設しており、その係合台３９，  ３９を、射出筒１４の上下両面へ平行に付設した案内板４７，  ４７の左右両端部間に挟持させて、強制的に射出筒１４後部まで押込み固定させる。尚図５の場合は、噴出器本体１１とカバー１９とを一体成形しており、又図６の場合は別部材としてバネ部材３５装着後、カバー１９を装着するよう設けている。
【００２３】
プランジヤ２６前端は、トリガー上部へ枢止５０させる。尚トリガー式液体噴出器を構成する全部材、すべて合成樹脂製とする。
【００２４】
上記構成においてトリガーを操作する際は、まず蓋板１７を起立させておく。
トリガー２１引寄せによりプランジヤ２６はシリンダ１３内を後退し、するとシリンダ内液体は吐出弁５２を通って射出筒１４内へ、更にノズル筒１８を通って噴出される。トリガー引寄せによりトリガー上端部から下後方へ突出していた係合板３１，  ３１はトリガー上端の枢支２３部分を中心として上方へ揺動することとなり、すると係合板３１，  ３１の後部上面へ圧接していた板バネ４２，  ４２先端部も弾性に抗して上方へ押上げられることとなり、従ってトリガー引寄せ完了により該トリガーを解放すると、上記板バネ４２，  ４２の弾性復元により係合板３１，  ３１が押下げられ、又トリガーは図示の位置へ復帰し、そのためプランジヤ２６も前進する。該プランジヤ前進によるシリンダ１３内の負圧化で、吸込み弁５３を通り、容器体内液体がシリンダ内へ吸込まれる。
【００２５】
【発明の効果】
請求項１記載の本発明は、全部材を合成樹脂製としたから従来のように分別することなく、合成樹脂製品としてそのまま廃棄し、資源の再利用を図ることが出来、又トリガー21上端部からカバー19の左右両側壁内面に沿って左右一対の係合板31,31 を下後方へ突設し、又射出筒14後部が位置するカバー内部分に固着させた基台部36から、射出筒14とカバー内壁面との間を通って左右一対をなす板バネ42,42 を前方突出するバネ部材35を設けて、上記板バネ先端を係合板31,31 の後部上面へ圧接させることで、それ等板バネの弾性でトリガー21と該トリガーに枢止50したプランジヤ26とを前方付勢させたから、上記係合板31,31 およびバネ部材35はカバー19内に隠して液体噴出器の外見を向上させることが出来ると共に、係合板31,31 の長さ、つまり正確にはトリガー枢支23部分から板バネ先端の圧接部分までの距離を大とすることで、板バネによるトリガーおよびプランジヤの復元力を強めることが出来る。又基台部36を前方からみて底板37の左右両側から腕板38,38 を起立し、かつこれ等両腕板の各外面に係合台39,39 を付設し、これ等係合台を、射出筒14側方のカバー両内壁面部分へ横設した上下一対の平行なレール46,46 間へ挟持させることで、射出筒14後部の側方へ固着させたから、そのレール46,46 を案内として利用することで、射出筒14後部に対するバネ部材35の取付け角度を正確に、つまりトリガー上端から下後方へ突出する係合板31,31 の後部上面へ係合させるに適した、板バネ42,42 の突出角度を保って固定させることが容易である。
【００２８】
請求項２記載の場合も、基台部36を前方からみて底板37の左右両側から腕板38,38 を起立し、かつその両腕板内面に係合台39,39 を付設し、これ等係合台を、射出筒14の上下両面へ平行に付設した案内板47,47 の左右両端部間へ挟持させて射出筒14後部の側方に固着させたから、上記請求項１記載の場合と同様の効果を有する。
【図面の簡単な説明】
【図１】本発明液体噴出器の縦断面図である。
【図２】図１噴出器の側面一部を切欠いて示す、側面図である。
【図３】図２Ａ−Ａ線を矢示方向にみた断面図である。
【図４】図２Ｂ−Ｂ線を矢示方向にみた断面図である。
【図５】図１噴出器の要部分解斜視図である。
【図６】図５と同一の要部を、実施形態を異にして示す分解斜視図である。
【符号の説明】
１１…噴出器の本体                                １２…主柱筒
１３…シリンダ                                        １４…射出筒
１９…カバー                                          ２１…トリガー
２６…プランジヤ                  ３５…バネ部材
３６…基台部                      ４２…板バネ
４６…レール                      ４７…案内板
【図１】
0003587939.tif 000002
【図２】
0003587939.tif 000003
【図３】
0003587939.tif 000004
【図４】
0003587939.tif 000005
【図５】
0003587939.tif 000006
【図６】
0003587939.tif 000007